(57)【特許請求の範囲】
【請求項１】
エスカレータのステップにおける、踏み面（１２）と蹴上げ（１１）とガイドローラ（２）を有する横支柱（１５）とを含むアルミニウムダイキャストの小型ステップ本体（１）の破壊荷重限界を高めるための方法であって、補剛部分（６）が、踏み面（１２）の下側（１６）で横方向の支えを与えるように取り付けられ、また、二つの補強する側板（７、８）が、横支柱（１５）の所で縦方向の支えを与えるように取り付けられる、前記方法。
【請求項２】
補剛部分（６）が、横断リブ（４）に固定され、該補剛部分の下側が、ステップ本体の下側（１６）に対接することを特徴とする請求項１に記載の方法。
【請求項３】
側板（７、８）が、ステップ本体（１）の横支柱（１５）を囲み、側板（７、８）の側面の枠が、ステップ本体（１）の下側（１６）と蹴上げ（１１）の後側（１７）とに対接し、側板（７、８）と分離不能に結合された金属リング（２０）が、ステップ本体（１）の横支柱（１５）の所でスタブ軸ピン（２１）を取り囲むことを特徴とする請求項１に記載の方法。
【請求項４】
ステップ本体（１）の補強リブ（５．１、５．２）を、補剛部分（６）の対応する凹部（９）がまたいでいることを特徴とする請求項１に記載の方法。
【請求項５】
補剛部分（６）が、縦方向に複数回曲げられた金属部分として形成されたものであることを特徴とする請求項１に記載の方法。
【請求項６】
エスカレータのステップにおける、踏み面（１２）と蹴上げ（１１）とガイドローラ（２）を有する横支柱（１５）とを含むアルミニウムダイキャストの小型ステップ本体（１）の破壊荷重限界を高めるための補強付加部材であって、踏み面（１２）の下側（１６）で横方向の支えを与えるように取り付けられる補剛部分（６）と、横支柱（１５）の所で縦方向の支えを与えるように取り付けられる二つの補強する側板（７、８）とを含んでおり、補剛部分（６）には、ステップ本体（１）の補強リブ（５．１、５．２）をまたぐ凹部（９）が該補強リブに対応して設けられている、前記補強付加部材。
【発明の詳細な説明】
【０００１】
【発明の属する技術分野】
本発明は、踏み面と蹴上げ（ｓｔｅｐ  ｆｒｏｎｔ）とガイドローラを備えた横支柱（ｓｉｄｅ  ｓｔｒｕｔｓ）とを有し、高い破壊荷重限界の特殊要件を満たす、アルミニウムダイカストの小型ステップ本体を開示する。
【０００２】
今日世界的に使用されている小型ステップ（ｃｏｍｐａｃｔ  ｓｔｅｐｓ）は、中央にかけられた負荷で２０〜２５キロニュートンの破壊荷重を示す。個々の特殊な応用例において、適切な仕様は、破壊荷重限界が、踏み面の所望の場所に加えられる力で２．５トンでなければならない。
【０００３】
【発明が解決しようとする課題】
踏み面の所望の場所に力がかかる場合、ステップローラ軸受の部分に特に大きな力がかかり、小型ステップのこの部分はその荷重に耐える大きさになっていないため、前述の破壊荷重限界は、通常の小型ステップでは達成されない。この要求を満たすためには、新しい構造の小型ステップを作成しなければならず、つまり新しい高価な鋳型を作成しなければならない。この解決策は、部分数が少なくても非常にコストがかかり、したがって、この種のエスカレータの設置コストは実質上高くなる。
【０００４】
さらに他の解決策は、複合形態の構造、すなわち異なる部品と材料によって違う形で組み立てたより頑丈なステップにある。
【０００５】
階段の構造は異なるが、前述のステップは、米国特許明細書第２５７０１３５号に示されている。ステップ本体は、縦支持体、横支持体、前金属板および踏み板で組み立てられる。ガイドと支持ローラが、軸受ブロックによって縦支持体にねじ留めされている。
【０００６】
適切な寸法の部品を利用することにより、原則的には、この形で十分に頑丈な踏み段を作成することができる。しかし、この場合、そのようなステップの製造コストは、さらに優れた解決策を期待しなければならないほど高くなる。
【０００７】
したがって、本発明の目的は、前述の解決策の欠点がなく、できる限り既存の構造を利用することができるより高い破壊荷重限界の踏み段を作成することである。
【０００８】
【課題を解決するための手段】
この目的は、請求項１において特徴づけられ、説明および図面に例として示された本発明によって達成される。
【０００９】
本発明は、それ自体、開始製品として入手可能な小型ステップを変更しない形で利用して、縦方向および横方向の付加的な補剛のために補強要素を適切な場所に固定する点が異なる。
【００１０】
好都合な発展形および改良例を従属請求項に示す。
【００１１】
それぞれのステップごとの補強要素は、折り曲げ部分と、包囲枠を有するそれぞれの側板であり、それらの要素は、補強する場所で小型ステップにねじ留めされる。
【００１２】
補強要素は、小型ステップの既存のリブおよびウェブの表面に動かないようにねじ留めされる。
【００１３】
数個の穴をあける作業と一対のねじ山を切削する作業の他には、既存の小型ステップに他の調整作業をする必要はない。
【００１４】
特に、既存の補強リブは、そのもとの形状および機能のまま残される。
【００１５】
本発明を、以下に、実施形態の例に関してより詳細に説明し、添付した図に示す。
【００１６】
【発明の実施の形態】
図１に、今日の通常の方式によりアルミニウムダイキャストで作成されるステップ本体が１で示される。キャリアローラが２で示され、巻込み軸受けが３で示される。キャリアローラ２は、スタブ軸ピン２１で固定される。この図において、巻込み軸受け３の後ろでステップ本体１から横方向に突出している部品は摺動ガイドシュー１８である。さらに、ステップ本体１は、中央で縦方向に延びる補強リブ５．１と、補強リブ５．１の両側にそれぞれある程度の間隔で平行に延びる補強リブ５．２とを備えた下面１６を有する。背面横断リブ４は、下面１６全体にわたって延び、中央部分が高くなっており、その両側が巻込み軸受け３の基部内に開いている。補剛部分６は、横断リブ４と下面１６に対して留まるように差し込まれ、横支柱が側板７および８によって囲まれる。踏み面は、この図では単なる枠のように見え、１２で示される。
【００１７】
図２では、補強要素の固定の仕方がほぼ明らかである。さらに、図の下側に、ステップ本体１の前面１１が見える。横支柱１５を囲む側板８は、貫通するねじ１４によって横支柱１５にしっかりと接続され、さらに側面の枠は、ステップ本体１の下面１６に対して留まる。補剛部分６は、横断リブ４にねじ１３で固定され、横断リブ４上の折り曲げた前側と、下側でそろえたベース面によって留められている。補剛部分６の前側は、上側のリムで動かないように内側に曲げられている。補剛部分６は、さらに、前側に第二の屈曲壁を有し、それによりその断面は、非対称的な断面を有するほぼ大文字Ｕの断面を示す。補剛部分６を固定する前にステップ本体１にフライス削り作業をしなくてもよいように、補剛部分６の下側には、突出するスプルー差し口（ｓｐｒｕｅ  ｓｐｉｇｏｔｓ）１０がステップ本体１の下側１６にある場所に適切な凹部１９を有する。また、補剛部分６の連続したくぼみ９は、縦方向に並んだ補強リブ５．１および５．２の上に橋絡し、それによりその形状と機能を残すことができる。補剛部分６のこの配置と構造により、踏み面１２の後ろ部分におけるステップ本体１の荷重性能を所望のレベルまで高めることができる。
【００１８】
図３では、側板、この図では側板７の外形が明らかである。側板７は、その前枠が、蹴上げ１１の後側１７に対して止まっており、その上側の枠は、ステップ本体１の下面１６に対して止まっている。横支柱１５の三方を囲む部分と側板７の枠がステップ本体１の内側に対して止まっており、その結果、ステップ本体１の側部の所望の補強が得られる。
【００１９】
図４は、側板８の例により、図１から図３では示されていない側板７および８のさら他の重要な構造の詳細を示す。スタブ軸ピン（ｓｔｕｂ  ａｘｌｅ  ｐｉｎ）２１を囲む金属リング２０は、スタブ軸２１部分の角で側板８に溶接されている。これにより、スタブ軸ピン２１から踏み面１２の下側１６まで、横支柱１５が連続的に補強される。
【００２０】
図に示したようにステップ本体１を破壊荷重が高くになるように補強することにより、許容範囲の費用で、高い需要のあるより頑丈なステップ本体１が得られる。したがって、基本的な型の三つの補強要素６、７および８によって、異なる二つのタイプの段が作成される。各ステップ本体１に補強要素６、７および８を追加で設けるには、わずか数分しかかからず、補強要素６、７および８自体は、低コストの大量生産の部品として予め製造することができる。
【００２１】
補強要素６、７および８の組み立ては、ステップ本体１にねじ留めするためのすべての穴を、補強要素６、７および８に予めあけるだけであり簡単である。補強要素６、７および８は、たとえば、ステップ本体１に通過穴とねじ付き穴をあけるための穴あけゲージとして働く。したがって、補剛部分６を、横断リブ４に当ててそれと一緒に穴あけするだけでよい。側板７および８は、溶接金属リング２０と一緒に各スタブ軸ピン２１に付けられ、次に、踏み面１２の下側１６および蹴上げ１１の後側１７に対して止まるまで回転される。したがって、側板７および８の穴あけは、横支柱１５と一緒に行われ、ねじ留めまたはリベット締めも一緒に行われる。
【００２２】
補強要素６、７および８の材料としては、ステンレスまたは耐腐食処理したシートメタルを利用するのが好都合である。さらに、ねじ接続部は、接触面の隙間を埋める接着材を利用することによって補うことができる。
【００２３】
補剛部分６をさらに折り曲げ、材料を厚くすることにより、強度を広い制限の範囲内で変化させることができる。金属の側板７および８の場合には、側面の曲げ形状と外形は、展開の方式で与えられる。負荷能力の変化は、材料とその厚さを選択することによりある一定の制限内で達成することができる。
【００２４】
補強要素６、７および８を固定するために、ねじ接続ではなくリベット締め技術を利することもできる。
【図面の簡単な説明】
【図１】補強したステップを下方から見た全体図である。
【図２】補強要素とその固定の例を詳細に示した図である。
【図３】側板を下方側面から詳細に示した図である。
【図４】側板の構造的な詳細を示す図である。
【符号の説明】
１  ステップ本体
２  ガイドローラ
３  巻込み軸受け
４  横断リブ
５．１  中央縦方向リブ
５．２  側部方向リブ
６  補剛部分
７  左側側板
８  右側側板
９  凹部
１０  スプルー差し口
１１  蹴上げ
１２  踏み面
１３、１４  ねじ
１５  横支柱
１６  踏み面１２の下側
１７  蹴上げ１１の後側
１８  摺動ガイドシュー
１９  くぼみ
２０  金属リング
２１  スタブ軸ピン
【図１】
0004095134.tif 000002
【図２】
0004095134.tif 000003
【図３】
0004095134.tif 000004
【図４】
0004095134.tif 000005